(57)【特許請求の範囲】
【請求項１】
肩から胸にかけてクロスして掛けられる肩ベルトと、この肩ベルトに連結されていて腰に結ばれる腰紐とを有するおんぶ紐と、
前記肩ベルトよりも前面側に装着される首掛け部を有しているとともに，前記おんぶ紐の腰紐の両端部が背部から前部へ向けて各々挿通されるスリット状の挿通穴が腰部両側に設けられているエプロンと、
を備え，前記おんぶ紐の腰紐は，前記エプロンのスリット状の挿通穴に背部から前部へ向けて挿通されて前記エプロンの前部で結ばれることを特徴とするおんぶ用エプロン。
【請求項２】
肩から胸にかけてクロスして掛けられる肩ベルトと、この肩ベルトに連結されていて腰に結ばれる腰紐とを有するおんぶ紐と、
このおんぶ紐に代えて選択的に使用されるおんぶ紐不使用時の腰紐と、
前記おんぶ紐使用時の前記肩ベルトよりも前面側に装着される首掛け部を有しているとともに，前記おんぶ紐の腰紐の両端部が背部から前部へ向けて各々挿通されるスリット状の挿通穴が腰部両側に設けられているエプロンと、
を備え，前記おんぶ紐の腰紐は，前記エプロンのスリット状の挿通穴に背部から前部へ向けて挿通されて前記エプロンの前部で結ばれることを特徴とするおんぶ用エプロン。
【請求項３】
前記エプロンの首掛け部は、その基部から先端に行くにしたがって次第に幅狭になっていることを特徴とする請求項１または２記載のおんぶ用エプロン。
【発明の詳細な説明】
【技術分野】
【０００１】
本発明は、エプロンとおんぶ紐とを組み合わせたおんぶ用エプロンに関するものである。
【背景技術】
【０００２】
おんぶ紐は、肩ベルトが胸元でクロスし、胸元が強調されるため、これを隠すことができるように、おんぶ紐の肩ベルトにボタンを設け、このボタンを用いてエプロンを取り付けることができるようにしたおんぶ用エプロンが知られている（例えば特許文献１参照）。
また、はじめにエプロンを肩から掛け、次いでおんぶ紐で子供をおぶり、その後、エプロンの両肩部および両腰部をボタンで留めるようにしたおんぶ用エプロンも知られている（例えば特許文面２参照）。
【特許文献１】実用新案登録第２５７３３６０号公報
【特許文献２】実開平１−８３００８号公報
【発明の開示】
【発明が解決しようとする課題】
【０００３】
上記特許文献１のものは、おんぶ紐の肩ベルトにボタンでエプロンを取り付けるようになっているので、エプロン単独では使うことができない。
また、上記特許文献２のものでは、子供をおんぶした後にエプロンの両肩部および両腰部をボタンで留めなければならないので、装着が煩雑である。
さらに、いずれのものも、エプロンの腰部に腰紐を通すための挿通穴を有していないので、エプロンの腰部近辺が乱れがちになりやすい。
したがって、この発明の目的は、装着が簡単で腰部近辺に乱れも生じず、しかもエプロン単独でも使用できるおんぶ用エプロンを提供することにある。
【課題を解決するための手段】
【０００４】
上記目的を達成するために、本発明のおんぶ用エプロンは、肩から胸にかけてクロスして掛けられる肩ベルトと、この肩ベルトに連結されていて腰に結ばれる腰紐とを有するおんぶ紐と、
前記肩ベルトよりも前面側に装着される首掛け部を有しているとともに，前記おんぶ紐の腰紐の両端部が背部から前部へ向けて各々挿通されるスリット状の挿通穴が腰部両側に設けられているエプロンと、
を備え，前記おんぶ紐の腰紐は，前記エプロンのスリット状の挿通穴に背部から前部へ向けて挿通されて前記エプロンの前部で結ばれることを特徴とする。
望ましくは、さらに、前記おんぶ紐に代えて選択的に使用される，前記エプロンの挿通穴に挿通される腰紐を備え，前記おんぶ紐の腰紐は，前記エプロンのスリット状の挿通穴に背部から前部へ向けて挿通されて前記エプロンの前部で結ばれることを特徴とする。
また望ましくは、前記エプロンの首掛け部は、その基部から先端に行くにしたがって次第に幅狭になる形状とする。
【発明の効果】
【０００５】
本発明のおんぶ用エプロンは、先ずエプロンを身につけ、次いでおんぶ紐で子供をおんぶした後、おんぶ紐の腰紐をエプロン腰部の挿通穴に通して結ぶことによって使用することができる。
したがって、ボタン等の着脱が不要であり、装着が簡単である。
また、エプロンの腰部は、その挿通穴に腰紐が通された状態で結ばれるので、腰部近辺に乱れは生じにくい。
しかも、エプロン単独でも使用することができる。
さらに、前記おんぶ紐に代えてエプロンの挿通穴に挿通される腰紐を備えたものとすることにより、エプロン単独で使用した際にも腰部の乱れをなくすことができる。
またさらに、前記エプロンの首掛け部を、その基部から先端に行くにしたがって次第に幅狭になる形状とすることにより、上記特許文献２のものとは異なり、おんぶ紐で子供を背負う際、おんぶ紐の肩ベルトをエプロンに通す必要もなくなる。しかも、首掛け部は、その基部が比較的幅広となっているので、おんぶ紐の肩ベルトが目立たなくなる。
【発明を実施するための最良の形態】
【０００６】
以下、本発明の実施の形態について図面を参照して説明する。
図１は、本発明に係るおんぶ用エプロンの一実施の形態を示す図で、（ａ）は使用状態図、（ｂ）はおんぶ紐を示す図、（ｃ）はエプロンを示す図である。
図２（ａ）〜（ｈ）は使用手順を示す図である。
【０００７】
図１に示すように、このおんぶ用エプロン１０（図（ａ））は、おんぶ紐２０（図（ｂ））とエプロン３０（図（ｃ））とを備えている。
おんぶ紐２０は、肩から胸にかけてクロスして掛けられる肩ベルト２１（図２（ｆ）参照）と、この肩ベルト２１に一体的に連結されていて掛け具２２を通して腰に結ばれる腰紐２３とを有している。
２４はおんぶされる子供の背受け部であり、肩ベルト２１と腰ベルト２５とに逢着されている。腰ベルト２５の両端部に前記掛け具２２が逢着されている。２６は足ぐりである。
【０００８】
エプロン３０には、前記腰紐２３の両端部が各々挿通される挿通穴３１が腰部両側に設けられている。
エプロン３０は、身体の前面（略腿部上部から上側）のみを覆う形状のエプロンである。エプロン３０の首掛け部３２は図１（ｃ）に示すように、その基部３３から先端３４に行くにしたがって次第に幅狭になるＣ字型の帯状となっており、先端３４をボタン等の留め具３５でエプロン本体に掛け止め自在となっている。
【０００９】
以上のようなおんぶ用エプロン１０は、例えば図２（ａ）〜（ｈ）に示すようにして使用する。
（ａ）首掛け部３２を首に回し、先端３４を留め具３５で止めてエプロン３０をかける。なお、首掛け部３２に頭部を通すことができれば、留め具３５は必要ではない。
（ｂ）おんぶ紐２０をその裏側を上にして広げ、その上に子供を寝かせ、おんぶ紐２０の足ぐり２６（図１（ｂ）参照）に子供の足を通す。
（ｃ）子供のわきの下に肩ベルト２１を通し、子供の胸の前で２本の肩ベルト２１をしっかりと握る。
（ｄ）握った手と反対の肘を肩ベルト２１の下に滑り込ませるようにして子供を背中の方にまわす。
（ｅ）子供を背負った状態で、肩ベルト２１を両肩にそれぞれかける。
（ｆ）エプロン３０の下側で肩ベルト２１を胸の位置で交差させ、それぞれ掛け具２２に通す。
（ｇ）掛け具２２に通した肩ベルト２１（したがって腰紐２３）を、そのままエプロン３０の挿通穴３１に通し、エプロン３０の前に出す。
（ｈ）腰紐２３をウエストあたりでしっかりと結ぶ。
以上によって、図１（ａ）に示したような使用状態となり、胸元を気にすることなく活動することができるようになる。
【００１０】
以上のようなおんぶ用エプロン１０によれば、次のような作用効果が得られる。
上述したように、このおんぶ用エプロン１０は、先ずエプロン３０を身につけ（図２（ａ）参照）、次いでおんぶ紐２０で子供をおんぶした後（図２（ｅ）（ｆ）参照）、おんぶ紐２０の腰紐２３をエプロン腰部の挿通穴３１に通して結ぶ（図２（ｇ）（ｈ）参照）ことによって使用することができる。
したがって、ボタン等の着脱が不要であり、装着が簡単である。
なお、上述したように、首掛け部３２に頭部を通すことができれば（通常は通すことができるの）、首掛け部３２をループ状に構成しておけばよいので留め具３５は必要ではない。すなわち少なくとも、上述した特許文献１，２のもののように、おんぶ紐とエプロンとを同時に使用するための留め具は不要である。
しかも、エプロン３０の首掛け部３２は図（ｃ）に示したように、その基部３３から先端３４に行くにしたがって次第に幅狭になる帯状となっているので、上記特許文献２のものとは異なり、図２（ｅ）（ｆ）（ｇ）に示したように子供を背負う際、肩ベルト２１をエプロン３０に通す必要もない。さらに、首掛け部３２は、その基部３３が比較的幅広となっているので、おんぶ紐の肩ベルト２１が目立たなくなる（図２（ｈ）、図１（ａ）参照）。
【００１１】
また、エプロン３０の腰部は、その挿通穴３１に腰紐２３が通された状態で結ばれるので、腰部近辺に乱れは生じにくい。
しかも、図２（ａ）に示すように、エプロン３０単独でも使用することができる。
さらに、図３に示すように、おんぶ紐２０に代えてエプロン３０の挿通穴３１に挿通される腰紐４０を備えたものとすることにより、エプロン単独で使用した際にも腰部の乱れをなくすことができる。
【００１２】
以上、本発明の実施の形態について説明したが、本発明は上記の実施の形態に限定されるものではなく、本発明の要旨の範囲内において適宜変形実施可能である。
【図面の簡単な説明】
【００１３】
【図１】本発明に係るおんぶ用エプロンの一実施の形態を示す図で、（ａ）は使用状態図、（ｂ）はおんぶ紐を示す図、（ｃ）はエプロンを示す図。
【図２】（ａ）〜（ｈ）は使用手順を示す図。
【図３】おんぶ紐２０に代えてエプロン３０の挿通穴３１に挿通される腰紐４０を備えた状態の図。
【符号の説明】
【００１４】
１０    おんぶ用エプロン
２０    おんぶ紐
２１    肩ベルト
２３    腰紐
３０    エプロン
３１    挿通穴
３２    首掛け部
３３    基部
４０    腰紐
【図１】
0004707333.tif 000002
【図２】
0004707333.tif 000003
【図３】
0004707333.tif 000004